(57)【特許請求の範囲】
【請求項１】
中折り処理された冊子束の折り部を押圧して平坦にする平坦処理手段と、
前記平坦処理手段の動作を制御する制御部と、
平坦処理に関わる設定の入力をする操作部と、を有し、
前記制御部は、冊子束を形成するシートの坪量が予め決められている所定値より小さい場合には、前記操作部からの平坦処理に関わる設定を不可とすることを特徴とするシート処理装置。
【請求項２】
中折り処理された冊子束の折り部を押圧して平坦にする平坦処理手段と、
前記平坦処理手段の動作を制御する制御部と、
平坦処理に関わる設定の入力をする操作部と、を有し、
前記制御部は、冊子束を形成するシートの枚数が予め決められている所定値より少ない場合には、前記操作部からの平坦処理に関わる設定を不可とすることを特徴とするシート処理装置。
【請求項３】
中折り処理された冊子束の折り部を押圧して平坦にする平坦処理手段と、
前記平坦処理手段の動作を制御する制御部と、
平坦処理に関わる設定の入力をする操作部と、を有し、
前記制御部は、冊子束を形成するシートの坪量と枚数の積算値が予め決められている所定値より小さい場合には、前記操作部からの平坦処理に関わる設定を不可とすることを特徴とするシート処理装置。
【請求項４】
中折り処理された冊子束の折り部を押圧して平坦にする平坦処理手段と、
前記平坦処理手段の動作を制御する制御部と、
平坦処理に関わる設定の入力をする操作部と、を有し、
前記制御部は、冊子束の束厚が予め決められている所定の厚みより小さい場合には、前記操作部からの平坦処理に関わる設定を不可とすることを特徴とするシート処理装置。
【請求項５】
中折り処理された冊子束の折り部を押圧して平坦にする平坦処理手段と、
前記平坦処理手段の動作を制御する制御部と、
平坦処理に関わる設定の入力及び情報の表示をする操作表示部と、を有し、
前記制御部は、冊子束を形成するシートの坪量が予め決められている所定値より小さい場合には、平坦処理の実施の設定の完了後、前記操作表示部に平坦処理の実施を中止する設定を促す表示をすることを特徴とするシート処理装置。
【請求項６】
中折り処理された冊子束の折り部を押圧して平坦にする平坦処理手段と、
前記平坦処理手段の動作を制御する制御部と、
平坦処理に関わる設定の入力及び情報の表示をする操作表示部と、を有し、
前記制御部は、冊子束を形成するシートの枚数が予め決められている所定値より少ない場合には、平坦処理の実施の設定の完了後、前記操作表示部に平坦処理の実施を中止する設定を促す表示をすることを特徴とするシート処理装置。
【請求項７】
中折り処理された冊子束の折り部を押圧して平坦にする平坦処理手段と、
前記平坦処理手段の動作を制御する制御部と、
平坦処理に関わる設定の入力及び情報の表示をする操作表示部と、を有し、
前記制御部は、冊子束を形成するシートの坪量と枚数の積算値が予め決められている所定値より小さい場合には、平坦処理の実施の設定の完了後、前記操作表示部に平坦処理の実施を中止する設定を促す表示をすることを特徴とするシート処理装置。
【請求項８】
中折り処理された冊子束の折り部を押圧して平坦にする平坦処理手段と、
前記平坦処理手段の動作を制御する制御部と、
冊子束の束厚を検知する束厚検知手段と、
平坦処理に関わる設定の入力及び情報の表示をする操作表示部と、を有し、
前記制御部は、前記束厚検知手段に検知された冊子束の束厚が予め決められている所定の厚みより小さい場合には、平坦処理の実施の設定の完了後、前記操作表示部に平坦処理の実施を中止する設定を促す表示をすることを特徴とするシート処理装置。
【請求項９】
シートに画像を形成する画像形成部と、前記画像形成部により画像が形成された複数枚のシートからなる束を中折り処理する請求項１乃至８のいずれか１項記載のシート処理装置と、を備えたことを特徴とする画像形成装置。
【請求項１０】
シートに画像を形成する画像形成部と、前記画像形成部により画像が形成された複数枚のシートからなる束を中央で二つに中折りし、中折り処理された冊子束の折り部を押圧して平坦にするシート処理装置と、前記シート処理装置の動作を制御する制御部と、平坦処理に関わる設定の入力をする操作部と、を有し、
前記制御部は、冊子束を形成するシートの坪量が予め決められている所定値より小さい場合には、前記操作部からの平坦処理に関わる設定を不可とすることを特徴とする画像形成装置。
【請求項１１】
シートに画像を形成する画像形成部と、前記画像形成部により画像が形成された複数枚のシートからなる束を中央で二つに中折りし、中折り処理された冊子束の折り部を押圧して平坦にするシート処理装置と、前記シート処理装置の動作を制御する制御部と、平坦処理に関わる設定の入力をする操作部と、を有し、
前記制御部は、冊子束を形成するシートの枚数が予め決められている所定値より少ない場合には、前記操作部からの平坦処理に関わる設定を不可とすることを特徴とする画像形成装置。
【請求項１２】
シートに画像を形成する画像形成部と、前記画像形成部により画像が形成された複数枚のシートからなる束を中央で二つに中折りし、中折り処理された冊子束の折り部を押圧して平坦にするシート処理装置と、前記シート処理装置の動作を制御する制御部と、平坦処理に関わる設定の入力をする操作部と、を有し、
前記制御部は、冊子束を形成するシートの坪量と枚数の積算値が予め決められている所定値より小さい場合には、前記操作部からの平坦処理に関わる設定を不可とすることを特徴とする画像形成装置。
【請求項１３】
シートに画像を形成する画像形成部と、前記画像形成部により画像が形成された複数枚のシートからなる束を中央で二つに中折りし、中折り処理された冊子束の折り部を押圧して平坦にするシート処理装置と、前記シート処理装置の動作を制御する制御部と、平坦処理に関わる設定の入力をする操作部と、を有し、
前記制御部は、冊子束の束厚が予め決められている所定の厚みより小さい場合には、前記操作部からの平坦処理に関わる設定を不可とすることを特徴とする画像形成装置。
【請求項１４】
シートに画像を形成する画像形成部と、前記画像形成部により画像が形成された複数枚のシートからなる束を中央で二つに中折りし、中折り処理された冊子束の折り部を押圧して平坦にするシート処理装置と、前記シート処理装置の動作を制御する制御部と、平坦処理に関わる設定の入力及び情報の表示をする操作表示部と、を有し、
前記制御部は、冊子束を形成するシートの坪量が予め決められている所定値より小さい場合には、平坦処理の実施の設定の完了後、前記操作表示部に平坦処理の実施を中止する設定を促す表示をすることを特徴とする画像形成装置。
【請求項１５】
シートに画像を形成する画像形成部と、前記画像形成部により画像が形成された複数枚のシートからなる束を中央で二つに中折りし、中折り処理された冊子束の折り部を押圧して平坦にするシート処理装置と、前記シート処理装置の動作を制御する制御部と、平坦処理に関わる設定の入力及び情報の表示をする操作表示部と、を有し、
前記制御部は、冊子束を形成するシートの枚数が予め決められている所定値より少ない場合には、平坦処理の実施の設定の完了後、前記操作表示部に平坦処理の実施を中止する設定を促す表示をすることを特徴とする画像形成装置。
【請求項１６】
シートに画像を形成する画像形成部と、前記画像形成部により画像が形成された複数枚のシートからなる束を中央で二つに中折りし、中折り処理された冊子束の折り部を押圧して平坦にするシート処理装置と、前記シート処理装置の動作を制御する制御部と、平坦処理に関わる設定の入力及び情報の表示をする操作表示部と、を有し、
前記制御部は、冊子束を形成するシートの坪量と枚数の積算値が予め決められている所定値より小さい場合には、平坦処理の実施の設定の完了後、前記操作表示部に平坦処理の実施を中止する設定を促す表示をすることを特徴とする画像形成装置。
【請求項１７】
シートに画像を形成する画像形成部と、前記画像形成部により画像が形成された複数枚のシートからなる束を中央で二つに中折りし、中折り処理された冊子束の折り部を押圧して平坦にするシート処理装置と、前記シート処理装置の動作を制御する制御部と、冊子束の束厚を検知する束厚検知手段と、平坦処理に関わる設定の入力及び情報の表示をする操作表示部と、を有し、
前記制御部は、前記束厚検知手段に検知された冊子束の束厚が予め決められている所定の厚みより小さい場合には、平坦処理の実施の設定の完了後、前記操作表示部に平坦処理の実施を中止する設定を促す表示をすることを特徴とする画像形成装置。
【請求項１８】
シートに画像を形成する画像形成部と、前記画像形成部により画像形成された複数枚のシートからなる束を中央で二つに中折りにする中折り処理手段と、前記中折り処理された冊子束の折り部を押圧して平坦にする平坦処理手段と、前記平坦処理手段の動作を制御する制御部と、平坦処理に関わる設定の入力をする操作部と、を備え、
前記制御部は、冊子束を形成するシートの坪量が予め決められている所定値より小さい場合には、前記操作部からの平坦処理に関わる設定を不可とすることを特徴とする画像形成システム。
【請求項１９】
シートに画像を形成する画像形成部と、前記画像形成部により画像形成された複数枚のシートからなる束を中央で二つに中折りにする中折り処理手段と、前記中折り処理された冊子束の折り部を押圧して平坦にする平坦処理手段と、前記平坦処理手段の動作を制御する制御部と、平坦処理に関わる設定の入力をする操作部と、を備え、
前記制御部は、冊子束を形成するシートの枚数が予め決められている所定値より少ない場合には、前記操作部からの平坦処理に関わる設定を不可とすることを特徴とする画像形成システム。
【請求項２０】
シートに画像を形成する画像形成部と、前記画像形成部により画像形成された複数枚のシートからなる束を中央で二つに中折りにする中折り処理手段と、前記中折り処理された冊子束の折り部を押圧して平坦にする平坦処理手段と、前記平坦処理手段の動作を制御する制御部と、平坦処理に関わる設定の入力をする操作部と、を備え、
前記制御部は、冊子束を形成するシートの坪量と枚数の積算値が予め決められている所定値より小さい場合には、前記操作部からの平坦処理に関わる設定を不可とすることを特徴とする画像形成システム。
【請求項２１】
シートに画像を形成する画像形成部と、前記画像形成部により画像形成された複数枚のシートからなる束を中央で二つに中折りにする中折り処理手段と、前記中折り処理された冊子束の折り部を押圧して平坦にする平坦処理手段と、前記平坦処理手段の動作を制御する制御部と、平坦処理に関わる設定の入力をする操作部と、を備え、
前記制御部は、冊子束の束厚が予め決められている所定の厚みより小さい場合には、前記操作部からの平坦処理に関わる設定を不可とすることを特徴とする画像形成システム。
【請求項２２】
シートに画像を形成する画像形成部と、前記画像形成部により画像形成された複数枚のシートからなる束を中央で二つに中折りにする中折り処理手段と、前記中折り処理された冊子束の折り部を押圧して平坦にする平坦処理手段と、前記平坦処理手段の動作を制御する制御部と、平坦処理に関わる設定の入力及び情報の表示をする操作表示部と、を備え、
前記制御部は、冊子束を形成するシートの坪量が予め決められている所定値より小さい場合には、平坦処理の実施の設定の完了後、前記操作表示部に平坦処理の実施を中止する設定を促す表示をすることを特徴とする画像形成システム。
【請求項２３】
シートに画像を形成する画像形成部と、前記画像形成部により画像形成された複数枚のシートからなる束を中央で二つに中折りにする中折り処理手段と、前記中折り処理された冊子束の折り部を押圧して平坦にする平坦処理手段と、前記平坦処理手段の動作を制御する制御部と、平坦処理に関わる設定の入力及び情報の表示をする操作表示部と、を備え、
前記制御部は、冊子束を形成するシートの枚数が予め決められている所定値より少ない場合には、平坦処理の実施の設定の完了後、前記操作表示部に平坦処理の実施を中止する設定を促す表示をすることを特徴とする画像形成システム。
【請求項２４】
シートに画像を形成する画像形成部と、前記画像形成部により画像形成された複数枚のシートからなる束を中央で二つに中折りにする中折り処理手段と、前記中折り処理された冊子束の折り部を押圧して平坦にする平坦処理手段と、前記平坦処理手段の動作を制御する制御部と、平坦処理に関わる設定の入力及び情報の表示をする操作表示部と、を備え、
前記制御部は、冊子束を形成するシートの坪量と枚数の積算値が予め決められている所定値より小さい場合には、平坦処理の実施の設定の完了後、前記操作表示部に平坦処理の実施を中止する設定を促す表示をすることを特徴とする画像形成システム。
【請求項２５】
シートに画像を形成する画像形成部と、前記画像形成部により画像形成された複数枚のシートからなる束を中央で二つに中折りにする中折り処理手段と、前記中折り処理された冊子束の折り部を押圧して平坦にする平坦処理手段と、前記平坦処理手段の動作を制御する制御部と、冊子束の束厚を検知する束厚検知手段と、平坦処理に関わる設定の入力及び情報の表示をする操作表示部と、を備え、
前記制御部は、前記束厚検知手段に検知された冊子束の束厚が予め決められている所定の厚みより小さい場合には、平坦処理の実施の設定の完了後、前記操作表示部に平坦処理の実施を中止する設定を促す表示をすることを特徴とする画像形成システム。
【発明の詳細な説明】
【技術分野】
【０００１】
本発明は、中折り処理された冊子束に対して所定の処理を施すシート処理装置、及びこの処理機能を有する画像形成装置、及び前記シート処理装置を有する画像形成システムに関する。
【背景技術】
【０００２】
従来、画像形成装置本体から出力されたシートに処理を施すシート処理装置としては、シート束を中央で二つ折りにする処理（以下、中折り処理という）を行うことで中折り冊子束（中綴じ製本も含む）を作成するシート処理装置が知られている。
【０００３】
また、中折り冊子束の品位を向上させるために、中折り冊子束を把持部で把持し、把持部から突出した中折り冊子束の折り部（綴じ側の背）をローラで押圧して平坦にする処理（以下、平坦処理という）を行うシート処理装置が提案されている（特許文献１，２参照）。
【０００４】
更に、前述の中折り冊子束の厚みに応じて、その冊子束の折り部の把持部からの突出量を変更し、突出した折り部を平坦処理するシート処理装置が提案されている（特許文献３参照）。
【０００５】
【特許文献１】特開２００４−３４５８６３
【特許文献２】特開２００５−２３９４１４
【特許文献３】特開２００６−２９０５８８
【発明の開示】
【発明が解決しようとする課題】
【０００６】
しかしながら、冊子束を形成するシートが薄いことやシート枚数が少ない等の理由によって、その冊子束の強度が弱い場合に、その冊子束の折り部にローラを押圧して平坦処理を実施すると、折り部の部分に皺が発生するおそれがある。このように冊子束の強度が弱い場合には、特許文献３のように厚みに応じて冊子束の繰り出し量を変更しても、同様に折り部の部分に皺が発生するおそれがある。
【０００７】
本発明の目的は、強度の弱い冊子束に対しては平坦処理を実施しないことで、その冊子束の折り部に皺が発生するのを防止することである。
【課題を解決するための手段】
【０００８】
上記目的を達成するための本発明の代表的な構成は、中折り処理された冊子束の折り部を押圧して平坦にする平坦処理手段と、前記平坦処理手段の動作を制御する制御部と、平坦処理に関わる設定の入力をする操作部と、を有し、前記制御部は、冊子束を形成するシートの坪量が予め決められている所定値より小さい場合には、前記操作部からの平坦処理に関わる設定を不可とすることを特徴とする。
【発明の効果】
【０００９】
本発明によれば、冊子束を形成するシートの坪量が小さいことやシート枚数が少ない等によって、冊子束の強度が弱い場合に、平坦処理の実施を中止することにより、冊子束の折り部の部分に皺が発生するのを防止でき、製本成果物の品位が低下するのを防止できる。
【発明を実施するための最良の形態】
【００１０】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。したがって、特に特定的な記載がない限りは、本発明の範囲をそれらのみに限定する趣旨のものではない。
【００１１】
〔第１実施形態〕
ここでは、画像形成装置本体とシート処理装置とを備えた画像形成システムを例示して説明する。また、シート処理装置は、フィニッシャ、平坦処理装置が個別の装置でシステム構成されるシート処理装置を例示している。これに限らず、フィニッシャ、平坦処理装置の機能を一体的に組み込んだ装置をシート処理装置としてもよい。
【００１２】
（画像形成システムの全体構成）
まず図１を用いて画像形成システムの全体構成について説明する。図１は画像形成装置システムの主要部の構成を示す全体構成図である。
【００１３】
画像形成システムは、図１に示すように、画像形成装置本体１０と、シート処理装置２０を備えている。シート処理装置２０は、フィニッシャ５００と、平坦処理装置７００から構成されている。画像形成装置本体１０は、原稿の画像を読み取るイメージリーダ２００及びシートに画像を記録するプリンタ３００を備えている。
【００１４】
イメージリーダ２００には、原稿給送装置１００が搭載されている。原稿給送装置１００は、原稿トレイ上に上向きにセットされた原稿を先頭ページから順に１枚ずつ給送し、湾曲したパスを介してプラテンガラス１０２上の読取位置へ搬送し、その後外部の排出トレイ１１２に向けて排出する。
【００１５】
この原稿がプラテンガラス１０２上の読取位置を通過するときに、原稿の画像は読取位置に対応する位置に保持されたスキャナユニット１０４により読み取られる。この読取方法は、一般的に、原稿流し読みと呼ばれる方法である。具体的には、原稿が読取位置を通過する際に、原稿の読取面（画像面）がスキャナユニット１０４のランプ１０３の光で照射され、その原稿からの反射光がミラー１０５，１０６，１０７を介してレンズ１０８に導かれる。このレンズ１０８を通過した光は、イメージセンサ１０９の撮像面に結像する。
【００１６】
このように読取位置を通過するように原稿を搬送することによって、原稿の搬送方向に対して直交する方向を主走査方向とし、搬送方向を副走査方向とする原稿読取走査が行われる。すなわち、原稿が読取位置を通過する際に主走査方向に原稿画像を１ライン毎にイメージセンサ１０９で読み取りながら、原稿を副走査方向に搬送することによって原稿画像全体の読み取りが行われる。このようにして光学的に読み取られた画像はイメージセンサ１０９によって画像データに変換されて出力される。イメージセンサ１０９から出力された画像データは、後述する画像信号制御部９２２（図２参照）において所定の処理が施された後にプリンタ３００の露光制御部１１０にビデオ信号として入力される。
【００１７】
なお、原稿給送装置１００により原稿をプラテンガラス１０２上に搬送して所定位置に停止させ、この状態でスキャナユニット１０４を副走査方向へ走査させることにより原稿の画像を読み取ることも可能である。この読取方法は、いわゆる原稿固定読みと呼ばれる方法である。
【００１８】
原稿給送装置１００を使用しないで原稿を読み取るときには、まず、ユーザにより原稿給送装置１００を持ち上げてプラテンガラス１０２上に原稿を載置する。そして、スキャナユニット１０４を副走査方向へ走査させることにより原稿の読み取りを行う。すなわち、原稿給送装置１００を使用しないで原稿の画像を読み取るときには、原稿固定読みが行われる。
【００１９】
プリンタ３００の露光制御部１１０は、入力されたビデオ信号に基づきレーザ光を変調して出力し、レーザ光はポリゴンミラー１１０ａにより走査されながら画像形成部を構成する感光ドラム１１１上に照射される。感光ドラム１１１には走査されたレーザ光に応じた静電潜像が形成される。ここで、露光制御部１１０は、後述するように、原稿固定読み時には、正しい画像（鏡像でない画像）が形成されるようにレーザ光を出力する。
【００２０】
この感光ドラム１１１上の静電潜像は、現像器１１３から供給される現像剤によって現像剤像として可視像化される。また、レーザ光の照射開始と同期したタイミングで、各カセット１１４，１１５、手差給送部１２５又は両面搬送パス１２４からシートが給送される。このシートは感光ドラム１１１と転写部１１６との間に搬送される。感光ドラム１１１に形成された現像剤像は転写部１１６により給送されたシート上に転写される。
【００２１】
現像剤像が転写されたシートは定着部１１７に搬送される。定着部１１７はシートに熱及び圧力を付与することによって現像剤像をシート上に定着させる。定着部１１７を通過したシートはフラッパ１２１及び排出ローラ１１８を経てプリンタ３００から外部（フィニッシャ５００）に向けて排出される。
【００２２】
ここで、シートをその画像形成面が下向きになる状態（フェイスダウン）で排出するときには、定着部１１７を通過したシートをフラッパ１２１の切換動作により一旦反転パス１２２内に導く。そのシートの後端がフラッパ１２１を通過した後に、シートをスイッチバックさせて排出ローラ１１８によりプリンタ３００から排出する。以下、この排出形態を反転排出と呼ぶ。この反転排出は、原稿給送装置１００を使用して読み取った画像を形成するとき、又はコンピュータから出力された画像を形成するときなどのように先頭ページから順に画像形成するときに行われる。その排出後のシートの順序は正しいページ順になる。
【００２３】
また、手差給送部１２５からＯＨＰシートなどの硬いシートが給送され、このシートに画像を形成するときには、シートを反転パス１２２に導くことなく、画像形成面を上向きにした状態（フェイスアップ）で排出ローラ１１８により排出する。
【００２４】
さらに、シートの両面に画像形成を行う両面記録が設定されている場合には、フラッパ１２１の切換動作によりシートを反転パス１２２に導いた後に両面搬送パス１２４へ搬送する。そして、両面搬送パス１２４へ導かれたシートを上述したタイミングで感光ドラム１１１と転写部１１６との間に再度給送する制御が行われる。
【００２５】
プリンタ３００から排出されたシートは、シート処理装置２０に送られる。シート処理装置２０は、搬送方向上流側から順に、フィニッシャ５００、平坦処理装置７００、が設けられている。したがって、プリンタ３００から排出されたシートは、まずフィニッシャ５００に送られる。フィニッシャ５００では、複数枚のシートからなる束を中央で二つ折りにする中折り処理などの各処理を行う。フィニッシャ５００にて中折り処理されたシート束（以下、冊子束という）は、平坦処理装置７００を通って平坦処理が選択的に実施され、製本積載トレイ１１へ排出される。なお、後述するが、平坦処理装置７００では、フィニッシャ５００で中折り処理された冊子束の折り部を押圧することで平坦化する平坦処理を行う。そして、各処理が選択的に実施された最終成果物としての冊子束は製本積載トレイ１１へ排出される。
【００２６】
（画像形成システムのコントローラ）
次に、画像形成システム全体の制御を司るコントローラの構成について図２を参照しながら説明する。図２は図１の画像形成システム全体の制御を司るコントローラの構成を示す全体ブロック図である。
【００２７】
コントローラ（制御部）は、図２に示すように、ＣＰＵ回路部９００を有している。ＣＰＵ回路部９００は、画像形成装置本体１０に搭載され、ＣＰＵ（図示せず）、ＲＯＭ９０１、ＲＡＭ９０２を内蔵しており、ＲＯＭ９０１に格納されている制御プログラムにより各ブロック９１１，９２１，９２２，９３１，９４１，９５１を総括的に制御する。ＲＡＭ９０２は、制御データを一時的に保持し、また制御に伴う演算処理の作業領域として用いられる。
【００２８】
原稿給送装置制御部９１１は、原稿給送装置１００をＣＰＵ回路部９００からの指示に基づき駆動制御する。イメージリーダ制御部９２１は、上述のスキャナユニット１０４、イメージセンサ１０９などに対する駆動制御を行い、イメージセンサ１０９から出力されたアナログ画像信号を画像信号制御部９２２に転送する。
【００２９】
画像信号制御部９２２は、イメージセンサ１０９からのアナログ画像信号をデジタル信号に変換した後に各処理を施し、このデジタル信号をビデオ信号に変換してプリンタ制御部９３１に出力する。また、画像信号制御部９２２は、コンピュータ９０３から外部Ｉ／Ｆ９０４を介して入力されたデジタル画像信号に各種処理を施し、このデジタル画像信号をビデオ信号に変換してプリンタ制御部９３１に出力する。この画像信号制御部９２２による処理動作は、ＣＰＵ回路部９００により制御される。プリンタ制御部９３１は、入力されたビデオ信号に基づき上述の露光制御部１１０を駆動する。
【００３０】
操作表示装置制御部９４１は、操作表示装置４００（図１参照）とＣＰＵ回路部９００との間で情報のやり取りを行う。操作表示装置４００は、画像形成装置本体１０に搭載され、画像形成に関する各種機能を設定する複数のキー、設定状態を示す情報を表示するための表示部などを有している。操作表示装置制御部９４１は、各キーの操作に対応するキー信号をＣＰＵ回路部９００に出力するとともに、ＣＰＵ回路部９００からの信号に基づき対応する情報を表示部に表示する。
【００３１】
フィニッシャ制御部９５１はフィニッシャ５００に搭載され、ＣＰＵ回路部９００と情報のやり取りを行うことによってフィニッシャ全体の駆動制御を行う。この制御内容については後述する。フィニッシャ制御部９５１は、後述する平坦処理制御部９７１を総括的に制御する。
【００３２】
平坦処理制御部９７１は平坦処理装置７００に搭載され、フィニッシャ制御部９５１と情報のやり取りを行い、平坦処理装置全体の駆動制御を行う。この制御については後述する。
【００３３】
本実施の形態において、画像形成システムの制御は、ＣＰＵ回路部９００とフィニッシャ制御部９５１間の通信、フィニッシャ制御部９５１と平坦処理制御部９７１との通信によって行われる。これに限らず、例えば、フィニッシャ制御部９５１をＣＰＵ回路部９００と一体的に画像形成装置本体１０に設ける、あるいは平坦処理制御部９７１をフィニッシャ制御部９５１と一体的にフィニッシャ５００に設けるようにしてもよい。
【００３４】
（操作表示装置）
図２０は図１の画像形成システムにおける操作表示装置４００を示す平面図である。図２０に示すように、操作表示装置４００には、様々なキーが配置されている。４０２は、画像形成動作を開始するためのスタートキーである。４０３は、画像形成動作を中断するためのストップキーである。４０４〜４１２及び４１４は、置数設定等を行うテンキーである。４１３はＩＤキー、４１５はクリアキー、４１６はリセットキーである。４１７は、各種装置の設定を行うユーザーモードキーである。また、操作表示装置４００には、上部にタッチパネルが形成された操作表示部４２０が配置されており、画面上にソフトキーを作成可能となっている。
【００３５】
画像形成システムでは、処理モードとしてノンソート、ソート、ステイプルソート（綴じモード）、製本モードなどの各処理モードを有する。このような処理モードの設定などは操作表示装置４００、あるいはコンピュータ９０３からの入力操作により行われる。例えば、処理モードを設定する際には、図２１に示す初期画面でソフトキーである「ソータ」を選択すると、メニュー選択画面が操作表示部４２０、あるいは不図示のモニターに表示され、このメニュー選択画面を用いて処理モードの設定が行われる。この場合のコンピュータ９０３、及びモニターも操作表示部として機能する。
【００３６】
図１において、ユーザが操作表示装置４００の操作表示部４２０に臨む側が装置の正面であり、以下、装置正面に立ったユーザ側を装置の手前側、ユーザから遠い側を奥側として説明する。
【００３７】
（フィニッシャ）
次に、フィニッシャ５００の構成について図３を参照しながら説明する。図３は図１のフィニッシャ５００の構成図である。
【００３８】
フィニッシャ５００は、画像形成装置本体１０から排出されたシートを順に取り込み、以下の所定の処理を選択的に行う。所定の処理としては、取り込んだ複数枚のシートを整合して１つに束に束ねる処理、束ねたシート束の後端をステイプルで綴じるステイプル処理、取り込んだシートの後端付近に穴あけをするパンチ処理、ソート処理、ノンソート処理、製本処理などがある。
【００３９】
フィニッシャ５００は、図３に示すように、画像形成装置本体１０から排出されたシートを入口ローラ対５０１により内部に取り込む。入口ローラ対５０１により内部に取り込まれたシートは、搬送ローラ対５０２を介してバッファローラ５０３に向けて送られる。入口ローラ対５０１と搬送ローラ対５０２との間の搬送経路途中には、入口センサ５７０が設けられている。
【００４０】
また、入口ローラ対５０１の下流には切換フラッパ５５１が配置されており、切換フラッパ５５１によりソートパス５１０、ノンソートパス５０９へのパスと、製本パス５５０へパスを切り換えることが出来る。
【００４１】
バッファローラ５０３は、その外周に搬送ローラ対５０２を介して送られたシートを所定枚数積層して巻き付け可能なローラであって、該ローラの外周にはその回転中にシートが各押下コロ５０４，５０５，５０６により巻き付けられる。巻き付けられたシートはバッファローラ５０３の回転方向に搬送される。
【００４２】
各押下コロ５０５，５０６間には、切換フラッパ５０７が配置されている。押下コロ５０６下流側には、切換フラッパ５０８が配置されている。切換フラッパ５０７はバッファローラ５０３に巻き付けられたシートをバッファローラ５０３から剥離してノンソートパス５０９又はソートパス５１０に導くためのフラッパである。切換フラッパ５０８はバッファローラ５０３に巻き付けられたシートをバッファローラ５０３から剥離してソートパス５１０に、又はバッファローラ５０３に巻き付けられたシートを巻き付けられた状態でバッファパス５１１に導くためのフラッパである。
【００４３】
バッファローラ５０３に巻き付けられたシートをノンソートパス５０９に導くときには、切換フラッパ５０７が動作してバッファローラ５０３から巻き付けられたシートが剥離され、ノンソートパス５０９に導かれる。ノンソートパス５０９に導かれたシートは、排出ローラ対５１２を介してサンプルトレイ５９０上に排出される。ノンソートパス５０９の途中には、排出センサ５７１が設けられている。
【００４４】
バッファローラ５０３に巻き付けられたシートをバッファパス５１１に導くときには、切換フラッパ５０７及び切換フラッパ５０８はともに動作せず、シートはバッファローラ５０３に巻き付けられた状態でバッファパス５１１に送られる。バッファパス５１１の途中には、バッファパス５１１上のシートを検出するためのバッファパスセンサ５７２が設けられている。
【００４５】
バッファローラ５０３に巻き付けられたシートをソートパス５１０に導くときには、切換フラッパ５０７は動作せずに切換フラッパ５０８が動作してバッファローラ５０３から巻き付けられたシートが剥離され、このシートはソートパス５１０に導かれる。
【００４６】
ソートパス５１０に導かれたシートは、搬送ローラ対５１３，５１４を介して中間トレイ（以下、処理トレイという）５２０上に積載される。処理トレイ５２０上に束状に積載されたシートは、必要に応じて手前側と奥側に設けられた整合部材５２１による整合処理、ステイプル処理などが施された後に、排出ローラ５２２ａ，５２２ｂによりスタックトレイ５９１上に排出される。排出ローラ５２２ｂは揺動ガイド５２４に支持され、揺動ガイド５２４は揺動モータ（図示せず）により排出ローラ５２２ｂを処理トレイ５２０上の最上部のシートに当接させるように揺動する。排出ローラ５２２ｂが処理トレイ５２０上の最上部のシートに当接された状態にあるときには、排出ローラ５２２ｂは排出ローラ５２２ａと協働して処理トレイ５２０上のシート束をスタックトレイ５９１に向けて排出することが可能である。
【００４７】
上述のステイプル処理は、ステイプラ５２３により行われる。ステイプラ５２３は、処理トレイ５２０の外周に沿って移動可能に構成され、処理トレイ５２０に積載されたシート束を、シート搬送方向に対してシートの最後尾位置（後端）で綴じることが可能である。
【００４８】
また、切換フラッパ５５１により製本パス５５０に導かれたシートは、以下に説明する中折り処理手段としての中折り機構により、シート束を中央で二つ折りにする中折り処理がなされる。製本パス５５０に導かれたシートは、搬送ローラ対５５２を介して製本中間トレイ（以下、製本処理トレイという）５６０に搬送される。製本パス５５０の途中には製本入口センサ５７４が設けられている。製本処理トレイ５６０には、中間ローラ５５３と可動式のシート位置決め部材５５４が設けられている。また、ステイプラ５５５と対向する位置にはアンビル（図示せず）が設けられており、ステイプラ５５５とアンビルが協働して、製本処理トレイ５６０の収納されたシート束に対してステイプル処理を行える構成となっている。
【００４９】
ステイプラ５５５の下流側には、折りローラ対５５６と、折りローラ対５５６の対向位置に突き出し部材５５７が設けられている。突き出し部材５５７を製本処理トレイ５６０に収納されたシート束に向けて突出することにより、製本処理トレイ５６０で束状に収納されたシート束を折りローラ対５５６間に押し出す。折りローラ対５５６は、シート束を折ると共に下流へとシート束を搬送する。折り込まれたシート束（冊子束）は、搬送ローラ対５５８を介して搬送方向下流側の装置へと受け渡される。搬送ローラ対５５８の下流には排出センサ５７５が設けられている。
【００５０】
（製本モードにおける中折り処理動作）
次に、フィニッシャ５００における中折り処理による製本モードの動作の流れについて、図４〜図８を参照しながら説明する。
【００５１】
製本モードが指定されると、図４が示すように入口ローラ対５０１、搬送ローラ対５５２が回転駆動され、画像形成装置本体１０から排出されたシートＰはフィニッシャ５００内に取り込まれて搬送される。切換フラッパ５５１はシートＰが製本パス５５０へ導かれる状態で保持されており、シートＰは搬送ローラ対５５２により製本処理トレイ５６０に収納される。中間ローラ５５３が回転駆動されており、製本処理トレイ５６０に収納されたシートの先端がシート位置決め部材５５４に接するまで搬送される。シート先端が位置決め部材５５４に達し搬送が停止すると、整合部材（不図示）がシート搬送方向と直交する方向に動作し、シートの整合が行われる。
【００５２】
所定枚数のシートが整合されて収納されると、図５に示すようにシート位置決め部材５５４は、収納されたシート束の中央にステイプル処理が行われる位置へ移動する。そして、ステイプラ５５５により、前述のシート束の中央にステイプル処理（以下、中綴じ）が行われる。なお、中綴じ処理を実施しない場合には、中綴じ処理を実施せずに次の工程へ進む。
【００５３】
そして、図６及び図７に示すように、ステイプル位置（シートの中央）が折りローラ対５５６の中央位置になる位置までシート位置決め部材５５４を下降させる。折りローラ対５５６、搬送ローラ対５５８を回転駆動させると同時に、突き出し部材５５７を突出させてシート束を折りローラ対５５６間に押し出す。
【００５４】
シート束は図８に示すように、折りローラ対５５６に折り込まれつつ下流へと搬送され、搬送ローラ対５５８により平坦処理装置７００へと排出される。
【００５５】
このようにフィニッシャ５００にて中折り処理されたシート束（以下、冊子束という）は、平坦処理装置７００を通って、平坦処理が選択的に実施され、製本積載トレイ１１へ排出される。
【００５６】
（平坦処理装置）
次に、平坦処理装置７００の構成について図９を参照しながら説明する。図９は図１の平坦処理装置７００の説明図であり、図９（ａ）は断面図、図９（ｂ）は上視図である。
【００５７】
平坦処理装置７００は、中折り処理されたシート束（以下、冊子束という）Ｂに対して、前記冊子束Ｂの折り部を押圧して折り部を平坦にする平坦処理手段である。
【００５８】
平坦処理装置７００はベルト搬送ローラ７０１によりフィニッシャ５００の製本処理部で中折りされた冊子束Ｂをセンター基準で受け取る。
【００５９】
ベルト搬送ローラ７０１は、下ベルト搬送ローラ７０１ａと上ベルト搬送ローラ７０１ｂで構成され、上ベルト搬送ローラ７０１ｂはバネ（不図示）で上下方向に移動する構成になっており、束厚が変わっても束を受け取れる構成となっている。
【００６０】
ベルト搬送ローラ７０１の下流には、受け取った冊子束Ｂの斜行を取る為のレジ取りストッパ７０８が設けられている。レジ取りストッパ７０８は、斜行取りを完了したら回転退避して冊子束Ｂを排出搬送ローラ７０２へ受け渡せるようになっている。
【００６１】
レジ取りストッパ７０８で斜行補正された冊子束Ｂは、固定された下グリッパ７０７、稼働する上グリッパ７０６によってグリップされる。
【００６２】
また、レジ取りストッパ７０８は搬送方向に移動可能な構成となっており、冊子束Ｂの搬送方向のグリップ位置はレジ取りストッパ７０８のレジ取り位置を調整することで、グリッパ端面からの冊子束Ｂの折り部側の突出量を調整できるようになっている。
【００６３】
グリッパ７０６，７０７によって固定された冊子束Ｂは、平坦処理するための圧接ローラ７０９を、グリッパから突出した冊子束Ｂの折り部に圧接させた状態で、搬送方向と直交する方向に移動することで冊子束Ｂの折り部を平坦化させる。
【００６４】
搬送パス上には、冊子束Ｂの平坦処理装置７００への搬入を検知する入口センサ７０３、冊子束Ｂがレジ取り位置へ到達したかを検知するレジ前センサ７０４、冊子束Ｂが平坦処理装置７００から排出されたことを検出する為の排出口センサ７０５が設けられている。
【００６５】
（平坦処理動作）
次に平坦処理の動作の流れについて説明する。図１０〜図１４は平坦処理動作を説明する為の説明図であり、各図の（ａ）は断面図、（ｂ）は上視図である。
【００６６】
図１０で示すように、中折りされた冊子束Ｂはセンター基準でベルト搬送ローラ７０１に受け渡される。この時には、下グリッパ７０７、上グリッパ７０６は開放状態となっており、レジ取りストッパ７０８は既にレジ取り位置に移動待機している。
【００６７】
次に図１１で示すように冊子束Ｂはレジ取りストッパ７０８に突き当たり斜行取りがされた後、ベルト搬送ローラ７０１を停止し、上グリッパ７０６を下降させることにより冊子束Ｂは固定される。
【００６８】
次に図１２で示すように、圧接ローラ７０９を動かす為に、レジ取りストッパ７０８を退避させる。そして、図１３で示すように圧接ローラ７０９が下グリッパ７０７、上グリッパ７０６から突出した冊子束Ｂの折り部に圧接した状態で搬送方向と直交する方向へ往復移動することで、冊子束Ｂの折り部の平坦処理が行われる。
【００６９】
次に図１４で示すように、上グリッパ７０６を上昇させて冊子束Ｂのグリップを解除し、ベルト搬送ローラ７０１、排出搬送ローラ７０２を動かすことで平坦処理された冊子束Ｂを製本積載トレイ１１へ排出する。
【００７０】
なお後述するが、平坦処理を実施するか否かはユーザにより選択可能となっている。平坦処理の実施が選択されなかった場合、フィニッシャ５００の中折り機構で中折りされて、平坦処理装置７００に搬送された冊子束Ｂは、ベルト搬送ローラ７０１、排出搬送ローラ７０２により、平坦処理を実施せずにそのまま製本積載トレイ１１へ排出される。
【００７１】
（製本モードの設定）
次に、製本モードの設定の流れについて図１５及び図２０〜図２２を参照しながら説明する。
【００７２】
図２０に示す初期画面でソフトキーである「応用モード」を選択すると、操作表示部４２０が図２１（ａ）に示すような各種モードを選択する画面に切り替わる。ここで、「製本」を選択すると、図２１（ｂ）に示すように、出力するシートを収納したカセットを選択可能なキーが表示される（Ｓ１００１）。ここで、使用するサイズのシートが収納されたカセットを選択し「次へ」のソフトキーを押下すると、図２１（ｃ）に示すように、製本束に対する処理を設定する画面となる。
【００７３】
なお、各カセット（給紙段）毎にシートのサイズと坪量のデータが、ユーザにより予め入力されている。これらのデータの入力は、操作表示装置４００からなされる。すなわち、操作表示装置４００から、前記平坦処理装置７００による平坦処理の実施の可否を設定する。ここでは、画像形成装置本体側に設けた操作表示装置４００が平坦処理に関わる設定の入力及び情報の表示をする構成を例示したが、コンピュータ９０３から平坦処理に関わる設定の入力をする場合もモニターに上記と同様の設定画面が表示される。さらに、本発明はこれらに限定されるものではない。例えば、シート処理装置２０に同等の機能を有する操作表示部を設けた構成としても良い。
【００７４】
製本モードを選択した場合、少なくとも中折りを行うが、中綴じを行うか否かはユーザが選択可能であり、図２１（ｃ）に示すように「中綴じする」と「中綴じしない」のいずれかを選択する（Ｓ１００２）。
【００７５】
更に図２１（ｃ）に示す設定画面では、前述の中綴じ設定とは独立して、平坦処理の実施の有無を設定する。ここで、Ｓ１００１で選択された給紙段にセットされているシートの坪量が所定値Ｘより小さい場合（Ｓ１００３）、平坦処理装置７００による平坦処理の実施を中止する。ここでは、図２２（ａ）に示すように、平坦処理の実施が選択できないように「平坦処理する」キーをマスクし、操作表示部４２０に表示する（Ｓ１００４）。すなわち、平坦処理装置７００による平坦処理の実施を中止する場合には、操作表示装置４００からの平坦処理の実施の設定を不可とする。その際、「平坦処理しない」キーが選択された状態となる。なお、所定値Ｘとは、予め決められている所定の値である。
【００７６】
例えば、所定値Ｘ＝６４、ユーザが選択したシートの坪量が５２［ｇ／ｍ２］とすると所定値Ｘより小さいため、「平坦処理する」キーは選択できない。一方、ユーザが選択したシートの坪量が７５［ｇ／ｍ２］とすると所定値Ｘより大きいため、平坦処理の実施が選択可能となる。すなわち、「平坦処理する」と「平坦処理しない」のいずれかのキーを選択することができる。
【００７７】
そして、図２１（ｃ）又は図２２（ａ）に示す設定画面にて、平坦処理の設定をした後、「ＯＫ」キーが押されると設定が終了し（Ｓ１００５）、初期画面へと戻り、スタートキー４０２が押下されて動作が開始するのを待つ状態となる。
【００７８】
上述したように、本実施形態によれば、冊子束を形成するシートの坪量が所定値Ｘより小さい場合は、ユーザによる平坦処理の実施が選択できないようにしている。すなわち、冊子束の強度が弱い場合は、平坦処理を実施できないようにしている。これにより、冊子束の折り部の部分に皺が発生するのを防止でき、製本成果物の品位が低下するのを防止できる。
【００７９】
なお、冊子束を形成するシートの坪量が、動作開始後にわかる構成の場合、後述するように、操作表示部４２０に平坦処理の実施を中止する設定を促す表示をするようにしても良い。あるいは、冊子束を形成するシートの坪量が所定値Ｘより小さい場合は、平坦処理装置７００による平坦処理の実施を中止するようにしても良い。
【００８０】
〔第２実施形態〕
第２実施形態に係るシート処理装置の製本処理の流れについて図１６及び図２０〜図２２を用いて説明する。なお、画像形成システム全体の概略構成は前述した実施形態と同様であるため、ここでは説明は省略する。
【００８１】
（製本モードの設定）
まず、製本モードの設定について図２０〜図２２を用いて説明する。図２０に示す初期画面でソフトキーである「応用モード」を選択すると、操作表示部４２０が図２１（ａ）に示すような各種モードを選択する画面に切り替わる。ここで、「製本」を選択すると、図２１（ｂ）に示すように、出力するシートを収納したカセットを選択可能なキーが表示される。ここで、使用するサイズのシートが収納されたカセットを選択し「次へ」のソフトキーを押下すると、図２１（ｃ）に示すように、製本束に対する処理を設定する画面となる。
【００８２】
製本モードを選択した場合、少なくとも中折りを行うが、中綴じを行うか否かはユーザが選択可能であり、図２１（ｃ）に示すように「中綴じする」と「中綴じしない」のいずれかを選択する。
【００８３】
更に図２１（ｃ）に示す設定画面では、前述の中綴じ設定とは独立して、平坦処理の実施の有無を設定する。平坦処理の設定をした後、「ＯＫ」キーが押されると設定が終了し、初期画面へと戻り、スタートキー４０２が押下されて動作が開始するのを待つ状態となる。
【００８４】
（製本ジョブの開始）
次に、製本ジョブ開始後の流れについて図１６を用いて説明する。ユーザは、上述の製本モード設定の完了後、原稿給送装置１００に原稿を載置し、スタートキー４０２を押下することでジョブを開始する。原稿給送装置１００によって原稿が一枚ずつ給送され、イメージリーダ２００によって原稿の画像が読み込まれる。原稿給送装置１００による原稿の給送が全て完了したら、原稿枚数を取得する（Ｓ２００１）。
【００８５】
なお、この原稿枚数は、図２に示すように原稿給送装置制御部９１１からＣＰＵ回路部９００に送られ、１束の冊子束内に含まれるシート枚数に換算される。すなわち、画像形成装置本体の制御部であるＣＰＵ回路部９００が、前記冊子束を形成するシートの枚数を算出する機能を兼ねている。ここでは、ＣＰＵ回路部９００が冊子束のシート枚数を算出する構成を例示したが、本発明はこれに限定されるものではない。例えば、平坦処理装置７００の制御部である平坦処理制御部９７１が冊子束のシート枚数を算出する構成としても良い。
【００８６】
そして冊子束を形成するシートに画像形成を開始する前に、原稿枚数から決定される１束の冊子束内に含まれるシート枚数を所定値Ｙと比較する（Ｓ２００２）。ここで、原稿枚数から決定される冊子束のシート枚数が所定値Ｙよりも多ければ、そのままジョブを継続し、画像形成を開始する（Ｓ２００３）。なお、所定値Ｙとは、予め決められている所定の値である。
【００８７】
一方、原稿枚数から決定される冊子束のシート枚数が所定値Ｙよりも少なければ、操作表示装置４００に平坦処理の実施を中止する設定を促す表示をする。ここでは、図２２（ｂ）に示すような平坦処理の再設定を促す画面を操作表示部４２０に表示する（Ｓ２００４）。
【００８８】
図２２（ｂ）に示す平坦処理の再設定を促す画面で、ユーザが「ジョブをこのまま継続」を選択すれば（Ｓ２００５）、平坦処理の実施をキャンセルせずにそのままジョブを継続し、画像形成を開始する（Ｓ２００３）。この場合、製本処理後、冊子束に対する平坦処理は実施される。
【００８９】
又は、図２２（ｂ）に示す平坦処理の再設定を促す画面で、ユーザが「平坦処理のキャンセル」を選択すれば（Ｓ２００６）、平坦処理の実施をキャンセルし（Ｓ２００７）、画像形成を開始する（Ｓ２００３）。この場合、製本処理後、冊子束に対する平坦処理は実施されない。
【００９０】
又は、図２２（ｂ）に示す平坦処理の再設定を促す画面で、ユーザが「ジョブを中止」を選択すれば（Ｓ２００８）、その時点でジョブを中止し（Ｓ２００９）、画像形成を開始せずに、初期画面へ戻る。
【００９１】
上述したように、本実施形態によれば、冊子束の折り部の平坦処理を実施する際に、その冊子束を形成するシートの枚数が所定値Ｙより少ない場合は、ユーザに対して平坦処理の再設定を促す画面を表示するようにしている。すなわち、冊子束の強度が弱い場合は、平坦処理の実施を中止することができるようにしている。これにより、冊子束の折り部の部分に皺が発生するのを防止でき、製本成果物の品位が低下するのを防止できる。
【００９２】
なお、冊子束を形成するシートの枚数が、動作開始前の設定時にわかる構成であれば、前述した実施形態のように、操作表示部４２０からの平坦処理の実施の設定を不可とするようにしても良い。あるいは、冊子束を形成するシートの枚数が所定値Ｙより少ない場合は、平坦処理装置７００による平坦処理の実施を中止するようにしても良い。
【００９３】
〔第３実施形態〕
第３実施形態に係るシート処理装置の製本処理の流れについて図１７及び図２０〜図２２を用いて説明する。なお、画像形成システム全体の概略構成は前述した実施形態と同様であるため、ここでは説明は省略する。
【００９４】
（製本モードの設定）
まず、前述した第２実施形態と同様に、製本モードの設定を行う。
【００９５】
（製本ジョブの開始）
次に、製本ジョブ開始後の流れについて図１７を用いて説明する。ユーザは、前述の述の製本モード設定の完了後、原稿給送装置１００に原稿を載置し、スタートキー４０２を押下することでジョブを開始する。原稿給送装置１００によって原稿が一枚ずつ給送され、イメージリーダ２００によって原稿の画像が読み込まれる。原稿給送装置１００による原稿の給送が全て完了したら、原稿枚数を取得する（Ｓ３００１）。
【００９６】
そして冊子束を形成するシートに画像形成を開始する前に、原稿枚数から決定される１束の冊子束内に含まれるシート枚数と、製本モードの設定時に選択したカセット（給紙段）のシート坪量を積算し、所定値Ｚと比較する（Ｓ３００２）。ここで、シート枚数とシート坪量の積算値が所定値Ｚよりも大きければ、そのままジョブを継続し、画像形成を開始する（Ｓ３００３）。なお、所定値Ｚとは、予め決められている所定の値である。
【００９７】
一方、前記積算値が所定値Ｚよりも小さければ、平坦処理装置７００による平坦処理の実施を中止する。ここでは、図２２（ｂ）に示すような平坦処理の再設定を促す画面を操作表示部４２０に表示する（Ｓ３００４）。
【００９８】
図２２（ｂ）に示す平坦処理の再設定を促す画面で、ユーザが「ジョブをこのまま継続」を選択すれば（Ｓ３００５）、平坦処理の実施をキャンセルせずにそのままジョブを継続し、画像形成を開始する（Ｓ３００３）。この場合、製本処理後に冊子束に対する平坦処理は実施される。
【００９９】
又は、図２２（ｂ）に示す平坦処理の再設定を促す画面で、ユーザが「平坦処理のキャンセル」を選択すれば（Ｓ３００６）、平坦処理の実施をキャンセルし（Ｓ３００７）、画像形成を開始する（Ｓ３００３）。この場合、製本処理後、冊子束に対する平坦処理は実施されない。
【０１００】
又は、図２２（ｂ）に示す平坦処理の再設定を促す画面で、ユーザが「ジョブを中止」を選択すれば（Ｓ３００８）、その時点でジョブを中止し（Ｓ３００９）、画像形成を開始せずに、初期画面へ戻る。
【０１０１】
例えば、所定値Ｚ＝２５０、ユーザが選択したシートの坪量が５０［ｇ／ｍ２］、シートの枚数が３枚とすると、積算値は５０×３＝１５０で２５０未満となり（Ｓ３００２）、平坦処理の再設定画面を表示する（Ｓ３００４）。一方、シートの枚数が５枚とすると、積算値は５０×５＝２５０で２５０以上となり（Ｓ３００２）、平坦処理の再設定画面は表示されず（Ｓ３００３）、平坦処理をそのまま実施する。又は、ユーザが選択したシートの坪量が１００［ｇ／ｍ２］、シートの枚数が３枚とすると、積算値は１００×３＝３００で２５０以上となり（Ｓ３００２）、平坦処理の再設定画面は表示されず（Ｓ３００３）、平坦処理をそのまま実施する。
【０１０２】
上述したように、本実施形態によれば、冊子束の折り部の平坦処理を実施する際に、その冊子束を形成するシートの枚数と坪量の積算値が所定値Ｚより小さい場合は、ユーザに対して平坦処理の再設定を促す画面を表示するようにしている。すなわち、冊子束の強度が弱い場合は、平坦処理の実施を中止することができるようにしている。これにより、冊子束の折り部の部分に皺が発生するのを防止でき、製本成果物の品位が低下するのを防止できる。
【０１０３】
なお、冊子束を形成するシートの枚数と坪量の積算値が、動作開始前の設定時にわかる構成であれば、前述した実施形態のように、操作表示部４２０からの平坦処理の実施の設定を不可とするようにしても良い。あるいは、冊子束を形成するシートの枚数と坪量の積算値が所定値Ｚより小さい場合は、平坦処理装置７００による平坦処理の実施を中止するようにしても良い。
【０１０４】
〔第４実施形態〕
第４実施形態に係るシート処理装置の製本処理の流れについて図１２、図１８、図２２（ｃ）を用いて説明する。なお、画像形成システム全体の概略構成は前述した実施形態と同様であるため、ここでは説明は省略する。
【０１０５】
（厚み検知部）
図１２に示す平坦処理装置７００の上グリッパ７０６と下グリッパ７０７に可変抵抗（不図示）が備えられており、上グリッパ７０６と下グリッパ７０７の間隔により変化する抵抗値から、平坦処理制御部９７１が冊子束の厚みを検知する。
【０１０６】
冊子束の束厚を検知する束厚検知手段は、可変抵抗に限定されるものではない。例えば、光学センサなどを用いて、上グリッパ７０６と下グリッパ７０７の距離を計測する構成としてもよいことはいうまでもない。
【０１０７】
（製本モードの設定）
まず、前述した第２実施形態と同様に、製本モードの設定を行う。
【０１０８】
（製本ジョブの開始）
次に、製本ジョブ開始後の流れについて図１８を用いて説明する。ユーザは、前述の製本モード設定の完了後、ユーザが、スタートキー４０２を押下することでジョブを開始する。原稿読み込み完了後、画像形成を開始し（Ｓ４００１）、製本処理を実施する（Ｓ４００２）。
【０１０９】
生成された冊子束を平坦処理装置７００へ搬送し、図１２に示すようにグリッパ７０６，７０７で冊子束を把持する。このとき、前述した厚み検知部（束厚検知手段）により、冊子束の束厚を測定する（Ｓ４００４）。測定された束厚が所定値Ｔ以上であれば（Ｓ４００５）、平坦処理を実施し（Ｓ４００６）、製本積載トレイ１１へ排出する（Ｓ４００７）。なお、所定値Ｔとは、予め決められている所定の値である。
【０１１０】
一方、測定された束厚が所定値Ｔ未満であれば（Ｓ４００５）、平坦処理の実施を中止して（Ｓ４００８）、冊子束を製本積載トレイ１１へ排出する（Ｓ４００９）。そして、操作表示部４２０に、図２２（ｃ）に示すような平坦処理の実施を中止したことを報知する画面を表示する。
【０１１１】
上述したように、本実施形態によれば、冊子束の折り部の平坦処理を実施する際に、その冊子束の束厚が所定値Ｔ未満である場合は、平坦処理の実施が中止されるようになっている。すなわち、冊子束の強度が弱い場合は、平坦処理が実施されないようになっている。これにより、冊子束の折り部の部分に皺が発生するのを防止でき、製本成果物の品位が低下するのを防止できる。
【０１１２】
なお、冊子束の束厚が、動作開始前の設定時にわかる構成であれば、前述した実施形態のように、操作表示部４２０からの平坦処理の実施の設定を不可とするようにしても良い。あるいは、冊子束の束厚が所定値Ｔ未満である場合は、前述した実施形態のように、操作表示部４２０に平坦処理の実施を中止する設定を促す表示をするようにしても良い。
【０１１３】
〔第５実施形態〕
第５実施形態における製本処理の流れについて図１２、図１９、図２３を用いて説明する。なお、画像形成システム全体の概略構成は前述した実施形態と同様であるため、ここでは説明は省略する。
【０１１４】
（製本モードの設定）
まず、前述した第２実施形態と同様に、製本モードの設定を行う。
【０１１５】
（製本ジョブの開始）
次に、製本ジョブ開始後の流れについて図１９を用いて説明する。ユーザは、前述の製本モード設定の完了後、ユーザが、スタートキー４０２を押下することでジョブを開始する。原稿読み込み完了後、画像形成を開始し（Ｓ５００１）、製本処理を実施する（Ｓ５００２）。
【０１１６】
生成された冊子束を平坦処理装置７００へ搬送し、図１２に示すようにグリッパ７０６，７０７で冊子束を把持する。このとき、前述した厚み検知部（束厚検知手段）により、冊子束の束厚を測定する（Ｓ５００４）。測定された束厚が所定値Ｔ以上であれば（Ｓ５００５）、平坦処理を実施し（Ｓ５００６）、製本積載トレイ１１へ排出する（Ｓ５０１０）。なお、所定値Ｔとは、予め決められている所定の値である。
【０１１７】
一方、測定された束厚が、所定値Ｔ未満であれば（Ｓ５００５）、平坦処理装置７００による平坦処理の実施を中止する。ここでは、操作表示部４２０に、図２３に示すような、ユーザに平坦処理の再設定を促す画面を表示する（Ｓ５００７）。
【０１１８】
図２３に示す平坦処理の再設定を促す画面で、ユーザが「ジョブをこのまま継続」を選択すると（Ｓ５００８）、平坦処理を実施し（Ｓ５００６）、製本積載トレイ１１へ排出する（Ｓ５０１０）。ユーザが「平坦処理をキャンセルして継続」を選択すると（Ｓ５００８）、平坦処理を実施せずに（Ｓ５００９）、製本積載トレイ１１へ排出する（Ｓ５０１０）。
【０１１９】
上述したように、本実施形態によれば、冊子束の束厚が所定値Ｔ未満である場合は、ユーザに対して平坦処理の再設定を促す画面を表示するようにしている。すなわち、冊子束の強度が弱い場合は、平坦処理の実施を中止することができるようにしている。これにより、冊子束の折り部の部分に皺が発生するのを防止でき、製本成果物の品位が低下するのを防止できる。
【０１２０】
なお、冊子束の束厚が、動作開始前の設定時にわかる構成であれば、前述した実施形態のように、操作表示部４２０からの平坦処理の実施の設定を不可とするようにしても良い。あるいは、冊子束の束厚が所定値Ｔ未満である場合は、平坦処理装置７００による平坦処理の実施を中止するようにしても良い。
【０１２１】
〔他の実施形態〕
なお、前述した実施の形態では、フィニッシャ５００、平坦処理装置７００が個別の装置でシステム構成されるシート処理装置を例示したが、一つのシート処理装置に複数の処理機能を備える構成であってもかまわない。また、中折り処理、平坦処理以外の処理（小口裁断処理、天地裁断処理など）機能を有するシート処理装置であってもかまわない。
【０１２２】
また、前述した実施の形態では、画像形成システムにおけるシート処理装置に本発明を適用した構成を例示して説明したが、本発明はこれに限定されるものではない。例えば、前述した画像形成部、中折り処理手段、及び平坦処理手段を有する画像形成装置に本発明を適用しても前述した効果と同様の効果が得られる。
【図面の簡単な説明】
【０１２３】
【図１】画像形成システムの全体構成図
【図２】画像形成システム全体のコントローラのブロック図
【図３】フィニッシャの断面図
【図４】中折り処理動作を行うフィニッシャの断面図
【図５】中折り処理動作を行うフィニッシャの断面図
【図６】中折り処理動作を行うフィニッシャの断面図
【図７】中折り処理動作を行うフィニッシャの断面図
【図８】中折り処理動作を行うフィニッシャの断面図
【図９】平坦処理装置の断面図及び上視図
【図１０】平坦処理動作を行う平坦処理装置の断面図及び上視図
【図１１】平坦処理動作を行う平坦処理装置の断面図及び上視図
【図１２】平坦処理動作を行う平坦処理装置の断面図及び上視図
【図１３】平坦処理動作を行う平坦処理装置の断面図及び上視図
【図１４】平坦処理動作を行う平坦処理装置の断面図及び上視図
【図１５】第１実施形態に係る製本モードの設定の流れを示すフローチャート図
【図１６】第２実施形態に係る製本モードの設定の流れを示すフローチャート図
【図１７】第３実施形態に係る製本モードの設定の流れを示すフローチャート図
【図１８】第４実施形態に係る製本モードの設定の流れを示すフローチャート図
【図１９】第５実施形態に係る製本モードの設定の流れを示すフローチャート図
【図２０】操作表示装置における操作表示部の説明図
【図２１】製本モードの設定の流れを示す図
【図２２】製本モードの設定の流れを示す図
【図２３】製本モードの設定の流れを示す図
【符号の説明】
【０１２４】
Ｂ    …冊子束
１０  …画像形成装置本体
１１  …製本積載トレイ
２０  …シート処理装置
２００ …イメージリーダ
３００ …プリンタ
４００ …操作表示装置
４２０ …操作表示部
５００ …フィニッシャ
７００ …平坦処理装置
７０６ …上グリッパ
７０７ …下グリッパ
７０９ …圧接ローラ
９００ …ＣＰＵ回路部
９１１ …原稿給送装置制御部
９２１ …イメージリーダ制御部
９２２ …画像信号制御部
９３１ …プリンタ制御部
９４１ …操作表示装置制御部
９５１ …フィニッシャ制御部
９７１ …平坦処理制御部
【図１】
0005094354.tif 000002
【図２】
0005094354.tif 000003
【図３】
0005094354.tif 000004
【図４】
0005094354.tif 000005
【図５】
0005094354.tif 000006
【図６】
0005094354.tif 000007
【図７】
0005094354.tif 000008
【図８】
0005094354.tif 000009
【図１５】
0005094354.tif 000010
【図１６】
0005094354.tif 000011
【図１７】
0005094354.tif 000012
【図１８】
0005094354.tif 000013
【図１９】
0005094354.tif 000014
【図２０】
0005094354.tif 000015
【図９】
0005094354.tif 000016
【図１０】
0005094354.tif 000017
【図１１】
0005094354.tif 000018
【図１２】
0005094354.tif 000019
【図１３】
0005094354.tif 000020
【図１４】
0005094354.tif 000021
【図２１】
0005094354.tif 000022
【図２２】
0005094354.tif 000023
【図２３】
0005094354.tif 000024